(57)【要約】【課題】ケーブルの抵抗成分によって生じる出力電圧の低下を補償することができる定電圧電源装置を提供する。【解決手段】出力端子に接続された電圧制御用トランジスタと制御回路とを備えた定電圧電源装置において、前記制御回路は、電圧制御用トランジスタ（Ｑ１）と並列に設けられ縮小比例した電流を流すカレントミラー・トランジスタ（Ｑ２）と、カレントミラー・トランジスタと直列に接続された電流−電圧変換手段と、出力端子の出力電圧を分圧する分圧回路（１２）と、分圧された電圧と所定の基準電圧との電位差に応じた電圧を出力する誤差アンプ（１１）と、少なくとも出力部にエミッタフォロア回路を有し電流−電圧変換手段により変換された電圧を電流に変換する電圧−電流変換回路とを設け、電圧−電流変換回路により流される電流を分圧回路のノードから引き抜くことで誤差アンプに供給される電圧を出力電圧に応じて補正するようにした。【選択図】図１
2018197894.tif 000002
【特許請求の範囲】
【請求項１】
直流電圧が入力される電圧入力端子と出力端子との間に接続された電圧制御用トランジスタと、出力のフィードバック電圧に応じて前記電圧制御用トランジスタを制御する制御回路とを備えた定電圧電源装置であって、
前記制御回路は、
前記電圧制御用トランジスタと並列に設けられ該電圧制御用トランジスタに流れる電流に縮小比例した電流を流すカレントミラー・トランジスタと、
前記カレントミラー・トランジスタと直列に接続された電流−電圧変換手段と、
前記出力端子の出力電圧を分圧する分圧回路と、
前記分圧回路によって分圧された電圧と所定の基準電圧との電位差に応じた電圧を出力する誤差アンプと、
少なくとも出力部にエミッタフォロア回路を有し前記電流−電圧変換手段により変換された電圧を電流に変換する電圧−電流変換回路と、
を備え、前記電圧−電流変換回路により流される電流を前記分圧回路のノードから引き抜くことで前記分圧回路により生成され前記誤差アンプに供給される電圧を前記出力電圧に応じて補正するように構成されていることを特徴とする定電圧電源装置。
【請求項２】
前記電圧制御用トランジスタと前記カレントミラー・トランジスタと前記分圧回路と前記誤差アンプは、半導体チップ上に半導体集積回路として形成され、
前記半導体チップには、前記カレントミラー・トランジスタの電流出力端子が接続された外部端子を備え、
前記電流−電圧変換手段は、前記外部端子に接続された温度特性の小さな外付け抵抗素子により構成されていることを特徴とする請求項１に記載の定電圧電源装置。
【請求項３】
前記電圧−電流変換回路は、前記外付け抵抗素子により電流−電圧変換された電圧が入力端子に印加されたボルテージフォロアと前記エミッタフォロア回路とからなり、
前記エミッタフォロア回路を構成するトランジスタのベース端子に前記ボルテージフォロアの出力電圧が印加されていることを特徴とする請求項２に記載の定電圧電源装置。
【請求項４】
前記エミッタフォロア回路は、コレクタ端子が前記分圧回路の前記ノードに接続されたバイポーラ・トランジスタと、該トランジスタのエミッタ端子に接続された抵抗手段と、を備え、
前記抵抗手段は並列形態に接続された複数の抵抗素子により構成され、前記複数の抵抗素子が選択的に前記エミッタ端子に接続されていることを特徴とする請求項１〜３のいずれかに記載の定電圧電源装置。
【発明の詳細な説明】
【技術分野】
【０００１】
本発明は、直流電源装置さらには直流電圧を変換する例えばシリーズレギュレータのような定電圧電源装置に利用して有効な技術に関する。
【背景技術】
【０００２】
直流電圧入力端子と出力端子との間に設けられたトランジスタを制御して所望の電位の直流電圧を出力する電源装置としてシリーズレギュレータ（以下、レギュレータと略す）がある。かかるレギュレータの用途として、自動車のカーナビゲーション装置やＥＴＣ装置、オーディオ装置、アンテナ装置など車載用の電子機器に直流電源を供給するための定電圧電源装置（車載用レギュレータ）がある。
【０００３】
車載用のレギュレータには、先端にコネクタが設けられたケーブルによって、車内の所望の部位に直流電源電圧が供給され、各種電子機器をコネクタに接続して利用できる環境を提供する役割が求められることがある。
しかしながら、上記のような電源供給機能を実現しようとすると、ケーブルの長さが比較的長くなるため、ケーブルを介して負荷へ電流が流れると、ケーブルの抵抗成分によって、コネクタ出力の電圧が低下するという課題がある。
【０００４】
そこで、車載用のレギュレータにおける上記のようなケーブルの抵抗成分によって生じるコネクタ出力電圧の低下を補償する装置に関する発明が提案されている（例えば特許文献１）。また、電源電圧を供給する配線が有する抵抗成分による出力電圧の低下を補償するため、出力電圧補償機能を設けた図６（Ａ）に示すような定電圧電源装置に関する発明も提案されている（特許文献２）。
さらに、レギュレータを構成する差動増幅器（誤差アンプ）の差動入力ＭＯＳトランジスタのゲート・ソース間電圧に起因する出力電圧の低下を抑制するため、出力電圧補正機能を設けた図６（Ｂ）に示すような安定化電源回路に関する発明も提案されている（特許文献３）。
【先行技術文献】
【特許文献】
【０００５】
【特許文献１】米国特許公開２０１６／０３５７２０４公報
【特許文献２】特開２０１４−１０５６３号公報
【特許文献３】特開２００２−９１５８０号公報
【発明の概要】
【発明が解決しようとする課題】
【０００６】
特許文献１に記載されている発明は、出力線の途中に電流検出用の抵抗を挿入するとともに、該電流検出抵抗の両端子間電圧を検出し増幅する差動増幅回路および該差動増幅回路の出力を受けるボルテージフォロアを有する電圧−電流変換回路を設け、該電圧−電流変換回路で変換された電流を、出力電圧を分圧し直流電圧レギュレータへのフィードバック電圧を生成する抵抗分圧回路のノードから引き抜くように構成したものである。しかしながら、この発明にあっては、出力線の途中に電流検出抵抗を挿入しているため電力損失が大きいという課題がある。また、電力損失を減らすため電流検出抵抗の抵抗値を０．２Ωのような小さな値に設定することも考えられるが、そのようにすると、電流検出抵抗の両端子間電圧を検出し増幅する差動増幅回路のゲインの精度を高める必要があり、そのような高精度の回路の設計、製造はコストアップを招くという課題が生じる。
【０００７】
また、特許文献２に記載されている定電圧電源装置は、図６（Ａ）に示すように、出力トランジスタＱ１とカレントミラー・トランジスタＱ２により、出力電流Ｉｏに比例した電流Ｉｏ’を生成し、その電流を抵抗Ｒ５で電流−電圧変換し、ボルテージフォロアとして動作するアンプＡＭＰ２を有する電圧−電流変換回路により電流Ｉo''を生成する。そして、カレントミラー回路CUR-1でＩo''に比例した電流Ｉo'''を生成し、その電流を抵抗Ｒ３に流して電圧降下ΔＶiを発生させ、その電圧を、出力トランジスタＱ１を制御する増幅器１１に入力するというものである。そのため、カレントミラーを多用していることにより素子数、消費電流が多くなるとともに、素子ばらつきが積み上がりそれが増幅器１１によって増幅されるため、補償機能による補正電圧が素子ばらつきの影響を受け易いという課題がある。
【０００８】
また、特許文献３に記載されている安定化電源回路は、図６（Ｂ）に示すように、出力トランジスタＱ１とカレントミラー・トランジスタＱ２により、出力電流Ｉｏに比例した電流Ｉｏ'を生成し、その電流をカレントミラーで折り返して、出力トランジスタＱ１を制御する増幅器ＡＭＰ１へのフィードバック電圧ＶFBを生成する抵抗分圧回路（Ｒ３，Ｒ２，Ｒ１）のノードＮ２から引き抜くように構成したものである。しかしながら、この安定化電源回路にあっては、抵抗Ｒ３が有する温度特性が出力を補正する電圧に影響し、温度変動によって補正電圧が変化するという課題がある。
【０００９】
この発明は上記のような課題に着目してなされたもので、その目的とするところは、電力損失が少ないとともにコストアップを招く高精度の回路を使用することなく、電源電圧を供給するケーブルの抵抗成分によって生じる供給電圧の低下を補償することができる定電圧電源装置（電圧レギュレータ）を提供することにある。
本発明の他の目的は、出力線の抵抗成分による出力電圧の低下を精度よく補償することができる定電圧電源装置を提供することにある。
本発明のさらに他の目的は、温度変動に伴う補正電圧の変化をなくすことができる定電圧電源装置を提供することにある。
【課題を解決するための手段】
【００１０】
上記目的を達成するため、本発明は、
直流電圧が入力される電圧入力端子と出力端子との間に接続された電圧制御用トランジスタと、出力のフィードバック電圧に応じて前記電圧制御用トランジスタを制御する制御回路とを備えた定電圧電源装置において、
前記制御回路は、
前記電圧制御用トランジスタと並列に設けられ該電圧制御用トランジスタに流れる電流に縮小比例した電流を流すカレントミラー・トランジスタと、
前記カレントミラー・トランジスタと直列に接続された電流−電圧変換手段と、
前記出力端子の出力電圧を分圧する分圧回路と、
前記分圧回路によって分圧された電圧と所定の基準電圧との電位差に応じた電圧を出力する誤差アンプと、
少なくとも出力部にエミッタフォロア回路を有し前記電流−電圧変換手段により変換された電圧を電流に変換する電圧−電流変換回路と、
を備え、前記電圧−電流変換回路により流される電流を前記分圧回路のノードから引き抜くことで前記分圧回路により生成され前記誤差アンプに供給される電圧を前記出力電圧に応じて補正するように構成したものである。
【００１１】
上記のような構成を有する定電圧電源装置によれば、出力電流に縮小比例した電流を生成するカレントミラー・トランジスタおよびこれと直列に接続された電流−電圧変換手段を備えているため、出力線に電流検出抵抗を設けることなく出力電流の大きさを検出することができるので電力損失が少ないとともに、コストアップを招く高精度の回路を使用することなく、電源電圧を供給するケーブルの抵抗成分によって生じる供給電圧の低下を補償することができる。
また、カレントミラー回路を多用していないため、素子ばらつきの影響を受けにくく出力線の抵抗成分による出力電圧の低下を精度よく補償することができる。
【００１２】
ここで、望ましくは、前記電圧制御用トランジスタと前記カレントミラー・トランジスタと前記分圧回路と前記誤差アンプは、半導体チップ上に半導体集積回路として形成され、
前記半導体チップには、前記カレントミラー・トランジスタの電流出力端子が接続された外部端子を備え、
前記電流−電圧変換手段は、前記外部端子に接続された温度特性の小さな外付け素子により構成する。
【００１３】
かかる構成によれば、電流−電圧変換手段を、外部端子に接続された温度特性の小さな外付け素子により構成しているので、エミッタフォロワ回路を構成する素子と分圧回路を構成する素子に、同一の温度特性を有する素子（抵抗）を使用することで、補正電圧が温度依存性を持たないようにすることができる。
【００１４】
また、望ましくは、前記電圧−電流変換回路は、前記外付け抵抗素子により電流−電圧変換された電圧が入力端子に印加されたボルテージフォロアと前記エミッタフォロア回路とからなり、
前記エミッタフォロア回路を構成するトランジスタのベース端子に前記ボルテージフォロアの出力電圧が印加されているように構成する。
かかる構成によれば、シンプルな構成で補正電圧が温度依存性を持たない回路を実現することができるようになる。
【００１５】
さらに、望ましくは、前記エミッタフォロア回路は、コレクタ端子が前記分圧回路の前記ノードに接続されたバイポーラ・トランジスタと、該トランジスタのエミッタ端子に接続された抵抗手段と、を備え、
前記抵抗手段は並列形態に接続された複数の抵抗素子により構成され、前記複数の抵抗素子が選択的に前記エミッタ端子に接続されるように構成する。
【００１６】
かかる構成によれば、エミッタフォロア回路を構成する抵抗素子を切り替えたり、接続される抵抗素子の数を変えたりすることで、所望の特性の補正電圧を生成することができ、これによって、当該定電圧電源装置の出力端子に接続されるケーブルの長さに応じて補正電圧を変えることができ、電源電圧を供給するケーブルの抵抗成分によって生じる供給電圧の低下を精度よく補償することができる。
【発明の効果】
【００１７】
本発明に係る定電圧電源装置によれば、電力損失が少ないとともにコストアップを招く高精度の回路を使用することなく、電源電圧を供給するケーブルの抵抗成分によって生じる供給電圧の低下を補償することができる。また、出力線の抵抗成分による出力電圧の低下を精度よく補償することができる。さらに、本発明によれば、温度変動に伴う補正電圧の変化をなくすことができるという効果がある。
【図面の簡単な説明】
【００１８】
【図１】本発明を適用した定電圧電源装置としてのシリーズレギュレータの一実施形態を示す回路構成図である。
【図２】図１の実施形態のレギュレータにおける出力電圧補正回路を構成する電圧−電流変換回路の具体例を示す回路図である。
【図３】本実施形態のレギュレータにおける出力電流Ｉｏと出力電圧Ｖｏとの関係が示すグラフである。
【図４】出力電圧補正回路を構成する電圧−電流変換回路の変形例を示す回路図である。
【図５】本発明を適用したレギュレータを構成するＩＣの変形例を示す回路図である。
【図６】（Ａ），（Ｂ）は、出力電圧補正機能を有する従来の定電圧電源装置の一例を示す回路構成図である。
【発明を実施するための形態】
【００１９】
以下、本発明の好適な実施の形態を図面に基づいて説明する。
図１は、本発明を適用した定電圧電源装置としてのシリーズレギュレータの一実施形態を示す。なお、図１において、一点鎖線で囲まれた部分は、単結晶シリコンのような半導体チップ上に半導体集積回路（レギュレータＩＣ）１０として形成され、該レギュレータＩＣ１０の出力端子ＯＵＴにコンデンサが接続されることで安定な直流電圧を供給する定電圧電源装置として機能する。また、出力端子ＯＵＴに先端にコネクタが設けられた給電用のケーブルの始端が接続される。
【００２０】
本実施形態の定電圧電源装置においては、図１に示すように、レギュレータＩＣ１０の直流電圧Ｖｉｎが印加される電圧入力端子ＩＮと出力端子ＯＵＴとの間に、ＰＮＰバイポーラ・トランジスタからなる電圧制御用のトランジスタＱ１が接続され、出力端子ＯＵＴと接地電位ＧＮＤが印加されるグランドラインとの間には、出力電圧Ｖｏを分圧する分圧回路１２を構成する抵抗Ｒ３，Ｒ２，Ｒ１が直列に接続されている。
【００２１】
この分圧回路１２を構成する抵抗Ｒ１とＲ２との接続ノードＮ１の電圧が、上記電圧制御用のトランジスタＱ１のベース端子を制御する誤差増幅回路としての誤差アンプ１１の非反転入力端子にフィードバック電圧ＶFBとして入力されている。そして、誤差アンプ１１は、出力のフィードバック電圧ＶFBと所定の基準電圧Ｖrefとの電位差に応じた電圧を生成して電圧制御用のトランジスタＱ１のベース端子に供給してＱ１を制御し、出力電圧Ｖｏが所望の電位になるように制御する。
【００２２】
また、本実施形態のレギュレータＩＣ１０においては、上記電圧制御用のトランジスタＱ１と並列に接続され、Ｑ１とカレントミラー回路を構成するバイポーラ・トランジスタＱ２が設けられ、このトランジスタＱ２の制御端子としてのベース端子に、電圧制御用のトランジスタＱ１のベース端子に印加される電圧と同一の電圧が印加されている。これにより、Ｑ２には、素子のサイズ比Ｎに応じて、トランジスタＱ１とＱ２のカレントミラー比をｎとすると、Ｑ１のコレクタ電流に比例した電流（１／ｎの電流）が流れるようにされている。トランジスタＱ１を同一サイズのトランジスタをＮ個だけ並列形態に接続して構成し、Ｑ２は１個のトランジスタで構成する場合には、素子の個数に比例した電流が流れるように設定される。
【００２３】
また、レギュレータＩＣ１０には、電圧入力端子ＩＮとチップの外部の接地電位点との間に、上記カレントミラー・トランジスタＱ２と直列をなすように接続され、Ｑ２のコレクタ電流を電圧に変換するための抵抗Ｒ５を接続するための外部端子Ｐ１が設けられている。
さらに、レギュレータＩＣ１０には、上記外部端子Ｐ１に非反転入力端子が接続されたアンプＡＭＰが設けられているとともに、上記分圧回路１２を構成する抵抗Ｒ１とＲ２との接続ノードＮ２とチップ内部の接地点との間に、エミッタフォロア回路を構成するＮＰＮバイポーラ・トランジスタＱ３と抵抗Ｒ４とが直列に接続されている。
【００２４】
そして、上記トランジスタＱ３のベース端子に上記アンプＡＭＰの出力端子が接続され、トランジスタＱ３のエミッタ端子がアンプＡＭＰの反転入力端子に接続されている。これにより、アンプＡＭＰは、ボルテージフォロアとして機能し、トランジスタＱ３のエミッタ電圧が非反転入力端子の入力電圧（外部端子Ｐ１の電位）と等しくなるように、トランジスタＱ３を動作させる。
【００２５】
上記アンプＡＭＰとしては、例えば図２に示すように、トランジスタＱ１１，Ｑ１２および定電流源ＣＣ１，ＣＣ２からなる入力部と、差動入力トランジスタＱ１３，Ｑ１４およびアクティブ負荷トランジスタＱ１５，Ｑ１６と定電流源ＣＣ３とからなる差動増幅部と、エミッタフォロア回路を構成するトランジスタＱ３および抵抗Ｒ４からなる出力部とを有する差動増幅回路を使用することができる。なお、図２に示す回路は一例であって、このような構成の回路に限定されるものではない。
【００２６】
前述したように、カレントミラー・トランジスタＱ２には、電圧制御用のトランジスタＱ１のコレクタ電流すなわち出力端子ＯＵＴが出力される電流Ｉｏに比例した電流Ｉｏ’が流され、その電流が外付け抵抗Ｒ５によって電圧に変換される。そのため、エミッタフォロア回路を構成するトランジスタＱ３には、出力される電流Ｉｏに比例した補正電流Ｉｏ”が流される。つまり、アンプＡＭＰとエミッタフォロア回路（Ｑ３，抵抗Ｒ４）は、電圧−電流変換回路として動作する。そして、この補正電流Ｉｏ”が、分圧回路１２を構成する抵抗Ｒ３が引き抜かれる。
【００２７】
従って、出力電流Ｉｏが増大すると、カレントミラー・トランジスタＱ２のコレクタ電流が増大して、外部端子Ｐ１の電位が高くなりエミッタフォロア回路（Ｑ３，抵抗Ｒ４）に流れる電流が増大して抵抗Ｒ３に流れる電流が増大する。すると、分圧回路１２の接続ノードＮ２の電位ひいては接続ノードＮ１の電位が低くなり、誤差アンプ１１の非反転入力端子の電位が低くなり、誤差アンプ１１の出力電圧が低くなって電圧制御用のトランジスタＱ１のコレクタ電流が増大することとなる。
【００２８】
具体的には、基準電圧をＶref、トランジスタＱ１とＱ２のカレントミラー比をｎ（＝Io/Io'）とすると、出力電圧Ｖｏは、次式、
Ｖｏ＝(1+(R2+R3)/R1)*Vref＋R3*Io”
＝(1+(R2+R3)/R1)*Vref＋((R3*R5)/(R4*n))*Io
で表わされるように、出力電圧Ｖｏは、補正電流Io”に応じた電圧とする。
つまり、本実施形態のレギュレータにおいては、カレントミラー・トランジスタＱ２と外付け抵抗Ｒ５とアンプＡＭＰおよびエミッタフォロア回路（Ｑ３，抵抗Ｒ４）が、電圧補正回路１３として機能する。
【００２９】
図３には、本実施形態のレギュレータにおける出力電流Ｉｏと出力電圧Ｖｏとの関係が示されている。ここで、（Ａ）は、電圧補正回路１３がない場合における出力電流Ｉｏと出力端子ＯＵＴの出力電圧Ｖｏおよびケーブルを介して負荷に供給される電圧すなわちケーブルの抵抗成分により電圧降下を生じたコネクタの電圧Ｖｏ’との関係を示す。また、（Ｂ）は電圧補正回路１３がある場合における出力電流Ｉｏと出力端子ＯＵＴの出力電圧Ｖｏおよびコネクタ電圧Ｖｏ’との関係を示す。
【００３０】
図３（Ａ）から明らかなように、電圧補正回路１３がない場合には、出力電流Ｉｏが大きいほどケーブル先端のコネクタの電圧Ｖｏ’は低くなる。これに対し、本実施形態のレギュレータＩＣ１０のように電圧補正回路を設けた場合には、図３（Ｂ）に示すように、出力電流Ｉｏが大きいほど出力端子ＯＵＴの出力電圧Ｖｏを高くすることで、ケーブル先端のコネクタの電圧Ｖｏ’を所望の電圧に補正することができる。
しかも、抵抗Ｒ５の抵抗値の設定により補正量を変更することが可能であり、上記式から分かるように、補正量はほぼ抵抗Ｒ３とＲ４の抵抗比で決まるので、補正量の計算が容易に行なえる。
【００３１】
さらに、本実施形態のレギュレータにおいては、カレントミラー・トランジスタＱ２と直列に接続される抵抗Ｒ５として外付け抵抗を使用できるように、外部端子Ｐ１を設けている。そのため、外付け抵抗Ｒ５として、温度特性の小さいディスクリート抵抗を使用することによって、電圧補正回路１３による補正量をチップ内部の抵抗Ｒ３とＲ４の抵抗比で設定させる、つまり温度特性のあるオンチップの抵抗Ｒ３の温度特性をＲ４の温度特性で相殺させるようにすることができ、これにより補正量が温度依存性を持たないようにすることができる。具体的には、温度の変化によって電圧補正回路１３を構成する抵抗Ｒ３の抵抗値が小さくなって電流が多くなると、分圧回路１２を構成する抵抗Ｒ３の抵抗値も小さくなって電流が多くなり、抵抗Ｒ２，Ｒ１に流れる電流は変化せずノードＮ１の電位は温度変化にかかわらず一定となり、電圧補正回路１３による補正量が温度依存性を持たないこととなる。
【００３２】
また、本実施形態のレギュレータにおける電圧補正回路１３はアンプＡＭＰを備えているものの、このアンプＡＭＰはボルテージフォロアとして機能するものであり、特許文献１の発明のように増幅動作する差動アンプを持たない構成である。そのため、出力電圧の補正量がアンプのゲインに関係しないのでゲインの精度を高める必要がなく、精度の高い回路の設計、製造に伴うコストアップを回避することができる。
さらに、本実施形態のレギュレータＩＣ１０は、特許文献２の発明のような複数のカレントミラー回路を持つ構成ではないので、構成がシンプルとなり、素子数及び消費電流が少ないという利点がある。
【００３３】
（変形例）
次に、前記実施形態のレギュレータＩＣ１０の変形例について、図４および図５を用いて説明する。
図４は、このうち第１の変形例を示す。この変形例は、前記実施形態のレギュレータＩＣ１０内に設けられる電圧補正回路１３として、図１におけるエミッタフォロア回路からなる出力部の前段のアンプＡＭＰの代わりに、コレクタ端子が接地点に接続されたＰＮＰバイポーラ・トランジスタＱ４および該トランジスタＱ４のエミッタ端子と電源電圧端子ＩＮ（またはＯＵＴ）との間に接続された定電流源ＣＣ４からなるＰＮＰ版のエミッタフォロア回路を設けるようにしたものである。定電流源ＣＣ４は、カレントミラー回路でも良いし、抵抗素子であっても良い。
【００３４】
図５には、第２の変形例のレギュレータＩＣが示されている。この変形例は、図１の実施例における電圧補正回路１３を構成するエミッタフォロア回路からなる出力部の抵抗Ｒ４を、複数の並列抵抗Ｒ４１，Ｒ４２，……Ｒ４ｎに置き換えるとともに、配線パターンを形成するフォトマスクを変えたり形成後の配線パターンをレーザで切断したりすることで、任意の数の抵抗を接続して抵抗値を切り換えるようにしたものである。抵抗Ｒ４の抵抗値を切り換えることによって、図３（Ｂ）に示す出力電圧Ｖｏの傾きを調整することができる。
なお、抵抗Ｒ４を、複数の並列抵抗Ｒ４１，Ｒ４２，……Ｒ４ｎに置き換えるのみでなく、トランジスタＱ３も複数の並列トランジスタに置き換えて、任意の数のトランジスタを接続できるように構成しても良い。
【００３５】
以上本発明者によってなされた発明を実施例に基づき具体的に説明したが、本発明は上記実施例に限定されるものではない。例えば、前記実施例においては、電圧補正回路１３を構成する素子および電圧制御用トランジスタＱ１やカレントミラー・トランジスタＱ２としてバイポーラ・トランジスタを使用したものを示したが、バイポーラ・トランジスタの代わりにＭＯＳＦＥＴを使用するようにしてもよい。
また、前記実施例においては、本発明をシリーズレギュレータへ適用した場合について説明したが、本発明はＤＣ−ＤＣコンバータ（スイッチング・レギュレータ）にも利用することができる。
【符号の説明】
【００３６】
１０……レギュレータＩＣ、１１……誤差アンプ、１２……分圧回路、１３……電圧補正回路、Ｑ１……電圧制御用トランジスタ、Ｑ２……カレントミラー・トランジスタ
【図１】
2018197894.tif 000003
【図２】
2018197894.tif 000004
【図３】
2018197894.tif 000005
【図４】
2018197894.tif 000006
【図５】
2018197894.tif 000007
【図６】
2018197894.tif 000008